(57)【要約】      （修正有）【課題】吸着体に気体又は流体を均一に通過させ吸着体中の片寄った流れの発生を防止する為の整流ユニット部材及び該整流ユニット部材が組み込まれた流体処理装置の提供。【解決手段】気体又は液体の処理装置の吸着体間に設置される整流ユニット部材は、整流ユニット部材を分割する区画壁構造部、及び整流ユニット部材中央部に形成され、吸着体の厚さに対応した高さを有する筒状の連結固定部を有し、前記区画壁構造部及び連結固定部が一体に形成されている。前記連結固定部が、気体又は液体の処理装置の中心に設けられた柱状物に通されることにより、複数の整流ユニット部材を一定の間隔を保って互いに連結固定するものであり、且つ一体に形成される区画壁構造部を水平に保つものである。【選択図】図１
0003201424.tif 000002
【実用新案登録請求の範囲】
【請求項１】
気体又は液体の処理装置の吸着体間に設置される整流ユニット部材であって、
整流ユニット部材を分割する区画壁構造部、及び
整流ユニット部材中央部に形成され、吸着体の厚さに対応した高さを有する筒状の連結固定部を有し、
前記区画壁構造部及び連結固定部が一体に形成されていることを特徴とする気体又は液体の処理装置に用いる整流ユニット部材。
【請求項２】
前記連結固定部が、気体又は液体の処理装置の中心に設けられた柱状物に通されることにより、複数の整流ユニット部材を一定の間隔を保って互いに連結固定するものであり、且つ一体に形成される区画壁構造部を水平に保つものであることを特徴とする請求項１に記載の整流ユニット部材。
【請求項３】
前記連結固定部が、他の整流ユニット部材の連結固定部と互い嵌合することにより、整流ユニット部材を一定の間隔を保って互いに連結固定するする構造を有し、且つ一体に形成される区画壁構造部を水平に保つものであることを特徴とする請求項１に記載の整流ユニット部材。
【請求項４】
前記整流ユニット部材が、処理対象の流体が吸着体を通過する時の乱流を防止するために設置されるものであることを特徴とする請求項１〜３のいずれかに記載の整流ユニット部材。
【請求項５】
請求項１〜４のいずれかに記載の整流ユニット部材が組み込まれた気体又は液体の処理装置。
【考案の詳細な説明】
【技術分野】
【０００１】
本考案は、流体処理装置の内部に収納された不織布の綿、発泡ポリウレタン等各種吸着体の層に気体又は液体を通過させ、気体又は液体中に含まれる有用物や不純物等を分離する際に、吸着体に気体又は流体を均一に通過させ吸着体中の片寄った流れの発生を防止する為の整流ユニット部材及び該整流ユニット部材が組み込まれた流体処理装置に関する。
【背景技術】
【０００２】
従来、気体又は液体中に含まれる有用物や不純物、有害物等の分離には、特許文献１に
示すように、吸着体を充填した円筒状又は柱状の筒を有する清浄化装置用い、処理対象の気体又は液体をその吸着体の層に通すことにより気体又は液体中の有用物あるいは不純物等を吸着分離する手法が用いられている。
【０００３】
しかし、処理対象の気体又は液体が吸着体層を通過する際には、図４  Ａに示すとおり
、その吸着体層内を均一に通過することはほとんどなく、部分的に流路を作り易く、吸着体層の径が大きくなればなる程その傾向は大きくなる。その結果、未だ多くの吸着力を有する部分が残っているにも関わらず、吸着体全体を取り替えなくてはならなくなり効率が非常に悪い。
【０００４】
本考案者は部分的な流路の発生を防ぎ、処理対象の気体又は液体が清浄化装置内の吸着
体層内を均等に通過する様、種々の方法を試験した結果、後述の整流ユニット部材を吸着体中に複数挿入することにより、図４  Ｂに示すような、吸着体内において処理対象の気体又は液体の均一な流れが得られ、吸着体全体を有効に使用できることを見出し、本考案を完成するに至った。
【先行技術文献】
【特許文献】
【０００５】
【特許文献１】特許第５６８１１３４号
【考案の概要】
【考案が解決しようとする課題】
【０００６】
本考案が解決しようとする課題は、流体処理装置内の吸着体層内を均等に通過することを可能とする整流ユニット部材及び該整流ユニット部材が組み込まれた流体処理装置の開発である。
【課題を解決するための手段】
【０００７】
すなわち、本考案は以下のとおりである。
（１）気体又は液体の処理装置の吸着体間に設置される整流ユニット部材であって、
整流ユニット部材を分割する区画壁構造部、及び
整流ユニット部材中央部に形成され、吸着体の厚さに対応した高さを有する筒状の連結固定部を有し、
前記区画壁構造部及び連結固定部が一体に形成されていることを特徴とする気体又は液体の処理装置に用いる整流ユニット部材、
【０００８】
（２）前記連結固定部が、気体又は液体の処理装置の中心に設けられた柱状物に通されることにより、複数の整流ユニット部材を一定の間隔を保って互いに連結固定するものであり、且つ一体に形成される区画壁構造部を水平に保つものであることを特徴とする（１）
に記載の整流ユニット部材、
（３）前記連結固定部が、他の整流ユニット部材の連結固定部と互い嵌合することにより、整流ユニット部材を一定の間隔を保って互いに連結固定するする構造を有し、且つ一体に形成される区画壁構造部を水平に保つものであることを特徴とする（１）に記載の整流ユニット部材、
【０００９】
（４）前記整流ユニット部材が、処理対象の流体が吸着体を通過する時の乱流を防止するために設置されるものであることを特徴とする（１）〜（３）のいずれかに記載の整流ユニット部材、
（５）（１）〜（４）のいずれかに記載の整流ユニット部材が組み込まれた気体又は液体の処理装置である。
【考案の効果】
【００１０】
本考案の整流ユニット部材を用いることにより、吸着体層全体において処理対象の気体又は液体を均一に流すことができ、吸着体層全体を無駄なく有効に使用できる。
その結果、清浄化装置に本発明の整流ユニット部材を組み込むことにより、清浄化装置をよりコンパクト化することができる利点がある。
【図面の簡単な説明】
【００１１】
【図１】図１は本考案の整流ユニット部材の側面図である。
【図２】図２は本考案の整流ユニット部材の平面図である。
【図３】図３は連結固定された本考案の整流ユニット部材の側面図である。
【図４】図４は連結固定された本考案の他の整流ユニット部材の側面図である。
【図５】図５は本考案の整流ユニット部材を組み込んだ流体処理装置内部の吸着体の例を示す断面図である。
【図６】図６Ａは従来の吸着試験例(整流ユニット部材なし)の例を示す。                  図６Ｂは本考案の整流ユニット部材を組み込んだ試験例を示す。
【考案を実施するための形態】
【００１２】
本考案の整流ユニット部材の材質は、通過する気体又は液体により腐食、溶解、変質等の影響を受けない材料、または通過する気体又は液体に影響を与えないものであれば何でも使用できる。具体的には、硬質ポリ塩化ビニル樹脂、ポリエチレンテレフタレートに代表されるポリエステル樹脂などのプラスチック、硝子、ステンレスなどの金属等が使用できる。
【００１３】
［本考案の整流ユニット部材の構造について］
整流ユニット部材の高さＡは、一般的には５ｍｍ〜１．５ｃｍ程度が適切である。処理対象の気体又は液体にもよるが、これより短いと十分な整流効果を得られない場合があり、また、これより長いと単位長さ中の吸着体層の厚さが減少して、十分な清浄化効果が得られない場合がある。
なお、吸着装置が巨大となる場合は、高さＡもそれに応じて大きな調整が必要となる。
【００１４】
区画壁間の間隔Ｂは、一般的には５ｍｍ〜３ｃｍが適切であり、この間隔より狭いと気体又は液体が通過する際の抵抗が大きくなり、また、広すぎると整流効果に悪影響を与える。
一般的に、吸着体層を収納する清浄化処理装置の吸着体収納部の管径が小さい場合は区画壁間の間隔Ｂも狭くなり、管径が大きい場合は区画壁間の間隔Ｂを大きくする場合もある。
なお、区画壁によって形成される区画形状は四角とは限らず、円形、六角形、段ボールの断面状などいずれの形状でも支障はない。
【００１５】
筒状の連結固定部は各ユニット部材を一定の間隔で相互に連結固定する役割を有し、その固定方法としては処理装置の中心に設けられた柱状部に筒状の連結固定部を通す方法、筒状の連結固定部同士を互いに嵌合する方法などがあり、嵌合部にねじを切っておくと更に強く連結固定することが可能である。
筒状の連結固定部の突出部分の高さＣは、一般的に１ｃｍ〜１０ｃｍであり、清浄化処
理装置の吸着体収納部の管径が細い場合は短く、管径が太い場合は長くする。
なお、吸着体層の流通抵抗が大きい場合は、筒状の連結固定部の突出部分の高さＣは短くした方が良い。
【００１６】
筒状の連結固定部の直径Ｄは、清浄化処理装置の吸着体収納部の管径が細い場合は細く、太い場合は太くする必要がある。これは整流ユニット全体を支えるのに必要な強度（太さ）を必要とすることによる。また、連結固定部と連接した補強部となる区画壁の厚みも、清浄化処理装置の吸着体収納部の管径に依存し、管径が細い場合は通常の区画壁程度でもよく、管径が太い場合はそれに対応して厚くする必要がある。
さらに、清浄化処理装置自体が大きくなり、装置の中心に設けられた柱状部のみで整流ユニット全体を支えることが困難な場合は、適宜支柱を増やすと同時に整流ユニットの対応箇所に連結固定部を設けることが必要となる。なお、支柱の形状は装置の中心に設けられた柱状部の形状に準じる。
また、区画壁の厚みＥ，連結固定部の筒状部の厚みＦは、形状を保てる強度があればなるべく薄い方が良く、その理由は気体又は液体の流量に影響するからである。
【００１７】
本考案の清浄化処理装置に用いる吸着体は、柱状の吸着体を板状に切断して層状の吸着
体として使用することができる。その場合、整流ユニット部材間に板状に切断した吸着体を装着するに際し、例えば、発泡ポリウレタン吸着体の透過性能が全体として均等になるように、切断順序と無関係に各板状の吸着体をバラバラにして、もともと隣接していた板状体同士が隣接しないように装着する事が望ましい。
【００１８】
吸着体として粒子状の物を用いる場合は、整流ユニット部材に該粒子より細かい網を用
いることが必要である。また、吸着体として不織布等の綿状の物や発泡ポリウレタンのようなスポンジ状のものを用いる場合は、上記の網は不要である。
【００１９】
本考案の整流ユニット部材自体の形状は角型でも円型でもよく、清浄化処理装置の吸着
体収納部の形状、即ち、吸着体の形状に合わせて適宜変更することができる。
また、図４において、吸着体に処理対象の気体または液体を流す方向は、気体の場合は下から、液体の場合は上から流すのが一般的である。
【実施例】
【００２０】
図５に示す本考案の整流ユニット部材を組み込んだ処理装置を用いて、処理装置内の吸着体上部から着色液を流した。さらに比較例として、本考案の整流ユニット部材を組み込まない処理装置を用いて同様の実験を行った。
【００２１】
上記実験の結果は図６Ａ及び図６Ｂに示すとおりである。
すなわち、本願考案の整流ユニット部材を組み込んだ処理装置では、図６Ｂに示すとおり、処理液体が吸着層内を均一に通過しており、吸着体の全域を使って有効な処理操作が可能である。
これに対し、本願考案の整流ユニット部材を用いない処理装置では、図６Ａに示すとおり、部分的な流路が形成され、吸着体の全域を使用した処理操作ができなかった。
なお、本考案の整流ユニット部材を組み込んだ処理装置を用いて、処理装置内の吸着体下部から着色処理気体を流す実験も併せて行ったが、液体処理の場合とほぼ同様の結果が
得られた。
【符号の説明】
【００２２】
Ａ  整流ユニット部材の高さ
Ｂ  整流ユニット部材の各区画の大きさ
Ｃ  連結固定部の高さ
Ｄ  連結固定部の筒状部の内径
Ｅ  整流ユニット部材の各区画壁の厚さ
Ｆ  連結固定部の厚み
【図１】
0003201424.tif 000003
【図２】
0003201424.tif 000004
【図３】
0003201424.tif 000005
【図４】
0003201424.tif 000006
【図５】
0003201424.tif 000007
【図６】
0003201424.tif 000008